(57)【要約】      （修正有）【課題】造礁性サンゴ破片の成長による融合を利用した造礁性サンゴの美的価値を高める養殖法の提供。【解決手段】近接して連鎖状にした同一群体から折り取ったクローンの造礁性サンゴ破片１は、成長によってお互い同士融合します。この近接したクローンのサンゴ破片１が成長によってお互い同士融合する性質を利用して円形状など任意な形状にした連鎖状造礁性サンゴ破片１を、垂下養殖することで、リース形状のようなサンゴ商品を創り出すことができます。【選択図】図３
2017153467.tif 000002
【特許請求の範囲】
【請求項１】
同一群体の造礁性サンゴから複数のサンゴ破片を折り取り、金属細線によりサンゴ破片個々の両端を捻り近接した状態で連鎖状に固定（図２）した後、円形状や王冠状などの任意形状にし（図３）（図８）（図１１）垂下養殖することで近接した造礁性サンゴ破片を成長させてお互いに融合させる事を特徴とする造礁性サンゴの増殖法
【請求項２】
同一群体の造礁性サンゴから複数のサンゴ破片を折り取り、エアードリルで穴を穿ち（図４）その穿った穴に金属細線を通して近接した造礁性サンゴ破片の連鎖を作り（図５）この近接した造礁性サンゴ破片の連鎖を円形状や王冠状などの任意形状にして垂下養殖し（図６）近接した造礁性サンゴ破片を成長させてお互いに融合させる事を特徴とする造礁性サンゴの増殖法
【発明の詳細な説明】
【技術分野】
【０００１】  造礁性サンゴは、枝状やテーブル状などの形状を有しており過去から現在に至るまで海中で自然に生育したものを採取して漂白するだけで販売されてきました。最近では養殖したサンゴが少数ですが漂白して販売されています。養殖した造礁性サンゴも成長過程で形状に人為的な手を加える事なく育成しており、成長したサンゴを漂白するだけで販売商品としています。造礁性サンゴが本来的に美しい形状を有しているからです。【０００２】    海中で自然に生育した造礁性サンゴは、人工的に手を加えなくても本来的に美しい形状に育っために、単に漂白するだけで販売商品とされています。同様に養殖した造礁性サンゴも本来的に美しい形状に育っために漂白しただけで販売商品とされています。
【背景技術】
【０００３】  造礁性サンゴは、海中で自然に生育した形状のままで漂白するだけで商品として店頭で販売されてきました。【０００４】  造礁性サンゴが死んで砂浜に打ち上げられた破片などを使用して、これら破片をグル―スティックやボンドなどで接着して人為的にタワー状にしたものなどが土産物店で販売されることがあります。
【発明の概要】
【発明が解決しようとする課題】
【０００５】  造礁性サンゴは、枝状やテーブル状などの形状を有しており過去から現在に至るまで海中で自然に生育したものを採取して漂白するだけで販売されてきました。造礁性サンゴが自然なままで生育しても本来的に美しい形状を有しているからです。しかし商品としての価値を高めるために人為的に変化に富んだ形状にできないかと考えました。
【課題を解決するための手段】
【０００６】  本発明は、造礁性サンゴの同一群体から折り取ったクローンの複数個のサンゴ破片を近接して育成した場合に、サンゴ破片の成長に伴ってお互いが融合する性質を利用して変化に富んだ形状にするためのものです。本発明を用いる事により造礁性サンゴの商品価値を高める事が可能になります。【０００７】  多くの種の造礁性サンゴは、岩に付着して生育します。このために接触したものに炭酸カルシウムの骨格で付着する能力を生涯にわたり有しています。この能力は、同一群体の造礁性サンゴからサンゴ破片を折り取り、近接して育成したサンゴ破片間では融合という形になります。本発明は、この造礁性サンゴが有する炭酸カルシウムによって他物に付着したりクローン同士のサンゴ破片だと炭酸カルシウム骨格が融合したりする能力に着目して開発しました。【０００８】  造礁性サンゴの同一群体から折り取った破片は遺伝的なクローンです。これらクローンのサンゴ破片を近接して育成すると成長に伴いお互いの炭酸カルシウムの骨格が融合しあいます。さらに育成する時間を長くすると成長に伴いどの部分が融合したのかさえ分からなくなり１個の群体サンゴのようになります。このため複数個の同一群体から折り取った造礁性サンゴの破片を近接した状態で任意形状（図３）（図８）（図１０）にして垂下養殖すると、成長に伴い任意形状のままでサンゴ破片同士が融合し人為的に意図した形状の造礁性サンゴを得ることができます（図７）（図９）。
【発明の効果】
【０００９】  本発明の技術を用いて養殖した造礁性サンゴは、リース状や王冠状の形状する事が意図的に可能です（図７）（図１０）。このため養殖した造礁性サンゴの商品価値を高める事ができます。また、アルファベット状（図８）の形状等にすることも可能です。
【図面の簡単な説明】
【００１０】
【図１】  造礁性サンゴ破片をステンレス線で挟み込んで両端を捻って固定した斜視図
【図２】  造礁性サンゴ破片をステンレス線で連鎖状に近接して固定した斜視図
【図３】  図２の連鎖状の造礁性サンゴを円形状にした斜視図
【図４】  造礁性サンゴ破片に穴を穿った斜視図
【図５】  図４の穴を穿ったサンゴ破片を連鎖状に近接した斜視図
【図６】  図５の連鎖状造礁性サンゴを円形状にして垂下した斜視図
【図７】  図３及び図６の円形状連鎖サンゴが成長中の斜視図
【図８】  図２の連鎖状サンゴをアルファベットＡ状にした斜視図
【図９】  図８のアルファベットＡ状の連鎖サンゴが成長中の斜視図
【図１０】  図２の連鎖状造礁性サンゴ４連を王冠状にした斜視図
【図１１】  図１０の王冠状にした連鎖サンゴを垂下養殖している斜視図
【発明を実施するための形態】
【００１１】以下、本発明の実施の形態を図１〜図１１について説明します。
【００１２】  図１の１は造礁性サンゴ種のコユビミドリイシの斜視図で２の直径０．７ｍｍのステンレス線で挟み込んで両端を捻ってサンゴを固定してあります。近接して連鎖状にする複数のコユビミドリイシ破片の起点となります。使用するコユビミドリイシの破片は同一群体のコユビミドリイシから折り取ったもので、長さ３ｃｍ〜５ｃｍほどのものです。
【００１３】  図２は、同一群体から折り取ったコユビミドリイシ複数個の破片を近接した状態で個々に直径０．７ｍｍのステンレス線で固定して連鎖状にした斜視図です。コユビミドリイシ破片の長さは３ｃｍから５ｃｍ程度です。
【００１４】  図３は、図２の連鎖状コユビミドリイシを円形状にして３の垂下用ロープに垂下して養殖している斜視図です。造礁性サンゴ破片を近接した状態で連鎖状に固定して形を作りサンゴ破片の成長によってお互い同士融合させて、リース形状のサンゴ群体になるように人為的に仕向けているのです。
【００１５】  図４は、５ｃｍほどのコユビミドリイシの破片に４の穴を穿った斜視図です。４の穴はエアードリルを使用して穿ちます。直径１ｍｍのキリを使用すれば直径０．７ｍｍのステンレス線を４の穴に通す事ができます。
【００１６】  図５は図４の穴を穿ったコユビミドリイシを近接して連鎖状にした斜視図です。
【００１７】  図６は、図５の連鎖状コユビミドリイシを円形状にして垂下養殖している斜視図です。造礁性サンゴ破片を近接した状態で連鎖状に並べて形を作り近接したサンゴ破片がお互いに融合するのを人為的に引き起こしています。商品としてリース形状のサンゴ群体になるよう人為的に仕向けているのです。
【００１８】  図７は、図３および図６の円形状連鎖サンゴを３ヶ月ほど垂下養殖した場合の斜視図です。近接して連鎖状にしたコユビミドリイシの破片が成長によってお互い同士融合し合あっていきます。サンゴ破片を固定した直径０．７ｍｍステンレス線は、サンゴの成長によって骨格に被覆されて見えなくなります。
【００１９】  図８は、図２の連鎖状にした同一群体のコユビミドリイシ破片を３連作り、この３連のサンゴ破片をアルファベットＡ状にした斜視図です。
【００２０】  図９は、図８のアルファベットＡ状の連鎖状コユビミドリイシを垂下養殖している斜視図です。造礁性サンゴ破片を近接した状態で連鎖状に固定して形を作り近接したサンゴ破片がお互いに融合するのを人為的に引き起こしています。商品としてアルファベットＡ形状のサンゴ群体になるよう人為的に仕向けているのです。
【００２１】  図１０は、図２の連鎖状にした同一群体のコユビミドリイシ破片を４連作り、この４連のサンゴ破片を王冠状にした斜視図です。
【００２２】  図１０の王冠状の連鎖サンゴを垂下養殖している斜視図です。
【図１】
2017153467.tif 000003
【図２】
2017153467.tif 000004
【図３】
2017153467.tif 000005
【図４】
2017153467.tif 000006
【図５】
2017153467.tif 000007
【図６】
2017153467.tif 000008
【図７】
2017153467.tif 000009
【図８】
2017153467.tif 000010
【図９】
2017153467.tif 000011
【図１０】
2017153467.tif 000012
【図１１】
2017153467.tif 000013